(57)【要約】  【課題】  走査露光装置においてライン光が駆動電極の領域以外から射出されるのを防止するとともに、この走査露光装置を画像読取装置に用いて読取画素以外の画素に読取光が照射されるのを防止する。  【解決手段】  駆動電源部３０が第２電極２３に駆動電圧ｖｄを印加しているときに、サブ電源部４０がこの駆動電圧ｖｄが印加されている駆動電極２３ｘに隣接した隣接電極２３ｙにエレクトロルミネセンス層２２が発光する発光電圧しきい値ｖｒｅｆよりも小さいサブ電圧ｖｓを印加する。【選択図】          図３
2005260821.tif 000002
【特許請求の範囲】
【請求項１】
エレクトロルミネセンス層と、該エレクトロルミネセンス層の一面側に設けられた第１電極と、前記エレクトロルミネセンス層の他面側にストライプ状に設けられた、それぞれ前記第１電極と対向する複数の線状の第２電極とを備えたパネル状光源と、
前記エレクトロルミネセンス層から発光されるライン光を走査させるため、前記複数の第２電極に前記駆動電圧を順次印加する駆動電源部と、
前記駆動電源部から前記駆動電圧が印加されている前記第２電極である駆動電極に隣接した隣接電極に、前記エレクトロルミネセンス層が発光する発光電圧しきい値よりも小さいサブ電圧を印加するサブ電源部と
を備えたことを特徴とする走査露光装置。
【請求項２】
前記隣接電極が、前記駆動電極の一方側にある複数の前記第２電極および他方側にある複数の前記第２電極からなり、前記サブ電源部が、前記複数の隣接電極のそれぞれに、各隣接電極と前記駆動電極との距離が大きいほど小さい前記サブ電圧を印加するものであることを特徴とする請求項１に記載の走査露光装置。
【請求項３】
画像情報が記録された画像記録媒体と、該画像記録媒体から前記画像情報を読み取る際に、前記画像記録媒体に対して読取光であるライン光を走査露光する走査露光装置とを有する画像情報読取装置において、
前記走査露光装置が、
エレクトロルミネセンス層と、該エレクトロルミネセンス層の一面側に設けられた第１電極と、前記エレクトロルミネセンス層の他面側にストライプ状に設けられた、それぞれ前記第１電極と対向する複数の線状の第２電極とを備えたパネル状光源と、
前記エレクトロルミネセンス層から発光されるライン光を走査させるため、前記複数の第２電極に前記駆動電圧を順次印加する駆動電源部と、
該駆動電源部から前記駆動電圧が印加されている前記第２電極である駆動電極に隣接した隣接電極に、前記エレクトロルミネセンス層が発光する発光電圧しきい値よりも小さいサブ電圧を印加するサブ電源部と
を備えたことを特徴とする画像読取装置。
【請求項４】
前記画像記録媒体が、画像情報を静電潜像として記録し、前記読取光が走査露光されることにより前記静電潜像に応じた電流を発生する静電記録体であることを特徴とする請求項３に記載の画像情報読取装置。
【請求項５】
前記画像記録媒体が、画像情報を蓄積記録し、前記読取光が走査露光されることにより前記画像情報に応じた輝尽発光光を発生する蓄積性蛍光体であることを特徴とする請求項３に記載の画像情報読取装置。
【発明の詳細な説明】
【技術分野】
【０００１】
本発明は、ＥＬ素子を用いたパネル状光源からライン光を走査させる走査露光装置およびこれを画像記録媒体や蓄積性蛍光体シート等の画像記録媒体に使用した画像読取装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を静電潜像として記録する画像記録媒体が提案されている。この画像記録媒体として、画像情報を蓄積記録し読取光が走査露光されることにより画像情報に応じた輝尽発光光を発生する蓄積性蛍光体シートや、画像情報を静電潜像として記録し、読取光が走査露光されることにより静電潜像に応じた電流を発生する固体検出器が提案されている。
【０００３】
この画像記録媒体から記録された画像情報を読取る方法として、画像記録媒体に対して読取光を走査露光して画像情報を読取る方法がある。この読取光を走査露光する走査露光装置として画像記録媒体に対してこの読取光照射部を積層することにより、画像記録媒体と走査露光装置とを一体的に形成した画像読取装置が提案されている（たとえば特許文献１参照。）。この走査露光装置として、それぞれ平行に配列された光透過性の複数の第２電極と、平板状の金属からなる背面電極と、第２電極と背面電極の間に設けられたエレクトロルミネセンス層（以下、「ＥＬ層」という）とを備えたパネル状光源が用いられている。そして、第２電極に順次駆動電圧が印加されることにより、駆動電圧が印加された第２電極の領域にあるＥＬ層が発光してライン光が順次走査するようになっている。
【特許文献１】特開２０００−１６２７２６号公報
【発明の開示】
【発明が解決しようとする課題】
【０００４】
ところで、画像読取装置に要求される画素密度は一般的には０．１ｍｍ間隔、マンモ用で０．０５ｍｍ間隔である。これに伴い、読取光であるライン光の間隔、すなわち第２電極の間隔も狭くする必要がある。一方、ＥＬ層を用いたパネル状光源においてその駆動電圧は高い。このため、高圧の駆動電圧が印加されている駆動電極と、この駆動電極に隣接した駆動電極が印加されていない非駆動電極との間には大きな電位勾配が生じる。このため、駆動電極と第１電極との間に印加されている電流が隣接する非駆動電極にリークし、非駆動電極が形成されている領域が発光してしまい、Ｘ線画像の鮮鋭度が劣化してしまうという問題がある。
【０００５】
そこで、本発明は、ライン光が駆動電極の領域以外から射出されるのを防止することができる走査露光装置および読取画素以外の画素に読取光が照射されるのを防止することにより鮮鋭度の劣化を防止することができる画像読取装置を提供することを目的とする。
【課題を解決するための手段】
【０００６】
本発明の走査露光装置は、エレクトロルミネセンス層と、エレクトロルミネセンス層の一面側に設けられた第１電極と、エレクトロルミネセンス層の他面側にストライプ状に設けられた、それぞれ第１電極と対向する複数の線状の第２電極とを備えたパネル状光源と、エレクトロルミネセンス層から発光されるライン光を走査させるため、複数の第２電極に駆動電圧を順次印加する駆動電源部と、駆動電源部から駆動電圧が印加されている第２電極である駆動電極に隣接した隣接電極に、エレクトロルミネセンス層が発光する発光電圧しきい値よりも小さいサブ電圧を印加するサブ電源部とを備えたことを特徴とするものである。
【０００７】
ここで、エレクトロルミネセンス層は、無機エレクトロルミネセンス層であってもよいし有機エレクトロルミネセンス層であってもよい。エレクトロルミネセンス層が無機エレクトロルミネセンス層の場合には駆動電源部は交流の駆動電圧を印加し、エレクトロルミネセンス層が有機エレクトロルミネセンス層の場合には駆動電源部は直流の駆動電圧を印加するようになる。
【０００８】
なお、隣接電極としては、駆動電極の両側のそれぞれに位置する１本もしくは任意の複数本の第２電極を設定することができる。すなわち、駆動電極の両端の第２電極のみ隣接電極として設定してもよいし、駆動電極のすぐ隣の第２電極からから複数番目の第２電極までを隣接電極として設定してもよい。
【０００９】
また、隣接電極が駆動電極の両端にそれぞれ複数設けられている場合、サブ電源部はその複数の隣接電極の両側のそれぞれに、各隣接電極と駆動電極との距離が大きいほど小さいサブ電圧を印加するようにしてもよい。
【００１０】
また、各第２電極がそれぞれ第１電極と対向するように第１電極が設けられていればその形状は問わず、たとえば第１電極を平板状に形成して、複数の第２電極がそれぞれ第１電極と対向するようにしてもよいし、第１電極が第２電極の形成部位に複数の線状電極を有するようにして、複数の第２電極が第１電極とそれぞれ対向するようにしてもよい。
【００１１】
本発明の画像読取装置は、画像情報が記録された画像記録媒体と、該画像記録媒体から画像情報を読み取る際に、画像記録媒体に対して読取光であるライン光を走査露光する走査露光装置とを有する画像情報読取装置において、走査露光装置が、エレクトロルミネセンス層と、エレクトロルミネセンス層の一面側に設けられた第１電極と、エレクトロルミネセンス層の他面側にストライプ状に設けられた、それぞれ第１電極と対向する複数の線状の第２電極とを備えたパネル状光源と、エレクトロルミネセンス層から発光されるライン光を走査させるため、複数の第２電極に駆動電圧を順次印加する駆動電源部と、駆動電源部から駆動電圧が印加されている第２電極である駆動電極に隣接した隣接電極に、エレクトロルミネセンス層が発光する発光電圧しきい値よりも小さいサブ電圧を印加するサブ電源部とを備えたことを特徴とするものである。
【００１２】
ここで、画像記録媒体は、画像情報を記録するものであれば、画像情報を静電潜像として記録し、読取光で走査露光されることにより静電潜像に応じた電流を発生する静電記録体であってもよいし、画像情報を蓄積記録し、読取光で走査露光されることにより画像情報に応じた輝尽発光光を発生する蓄積性蛍光体であってもよい。
【発明の効果】
【００１３】
本発明の走査露光装置によれば、サブ電源部が走査電源部から駆動電圧が印加されている駆動電極に隣接した隣接電極に、エレクトロルミネセンス層が発光する発光電圧しきい値よりも小さいサブ電圧を印加することにより、駆動電圧が印加されている駆動電極と、この駆動電極に隣接した駆動電圧が印加されていない第２電極との電位勾配を小さくして駆動電極から隣接電極へのリークを抑えることができるため、ライン光が駆動電極の領域以外から射出されるのを防止することができる。
【００１４】
なお、隣接電極が、駆動電極の両側にある複数の第２電極からなり、サブ電源部が、複数の隣接電極のそれぞれに、各隣接電極と駆動電極との距離が大きいほど小さいサブ電圧を印加するものであれば、駆動電極から他の第２電極へのリークを抑えてライン光の発光領域を精度よく制御することができる。
【００１５】
また、本発明の画像読取装置によれば、サブ電源部が走査電源部から駆動電圧が印加されている駆動電極に隣接した隣接電極に、エレクトロルミネセンス層が発光する発光電圧しきい値よりも小さいサブ電圧を印加することにより、駆動電圧が印加されている駆動電極と、この駆動電極に隣接した他の第２電極との電位差を小さくすることができるため、駆動電極から他の第２電極への電流のリークを抑えてライン光の発光領域を精度よく制御することができるため、読取光が他の画素に照射されることによる画質の劣化を防止することができる。
【発明を実施するための最良の形態】
【００１６】
以下、図面を参照して本発明の走査露光装置およびこれを用いた画像読取装置の実施の形態を詳細に説明する。図１は本発明の走査露光装置を適用した画像読取装置の概略構成図である。この画像読取装置１は、画像情報を静電潜像として記録した画像記録媒体１０と、画像記録媒体１０に読取光Ｌを走査露光する走査露光装置２０とを有している。
【００１７】
まず、図１を参照して画像記録媒体１０について説明する。画像記録媒体１０は、たとえば特開２０００−２８４０５６号公報に開示されているような、いわゆる光読み出し方式の画像記録媒体であって、第１電極１１、読取用光導電層１２、電荷輸送層１３、記録用光導電層１４、第２電極１５を積層した構造を有している。
【００１８】
第１電極１１はたとえばネサ被膜等からなり、矢印Ｙ方向に向かって延びた副数本の第２電極が略平行に形成された構造を有している。この第１電極１１は、各第２電極は電気的に絶縁した状態になっている。読取用光導電層１２はたとえばアモルファスセレンからなっており、読取光Ｌの照射により導電性を呈し電荷対を発生するものである。電荷輸送層１３は読取用光導電層１２に積層されており、負電荷に対しては略絶縁体として作用し、正電荷に対しては略導電体として作用するようになっている。記録用光導電層１４は、たとえばアモルファスセレンからなっており、記録用の電磁波（光または放射線）の照射によって導電性を呈し電荷対を発生するようになっている。さらに、記録用光導電層１４の上には、照射される記録用の電磁波を透過するたとえばＩＴＯ膜（Ｉｎｄｉｕｍ  Ｔｉｎ  Ｏｘｉｄｅ）等の材料からなる、矢印Ｙ方向に向かって延びた副数本の第２電極により構成された第２電極１５が積層されている。
【００１９】
ここで、電荷輸送層１３と記録用光導電層１４との界面には蓄電部１９が形成されている。つまり、記録用光導電層１４内で発生した電子が、第１電極１１と第２電極１５の間で形成される電界により、第１電極１１側へ移動しようとしたときに、電荷輸送層１３によってその移動が制限されるようになっている。よって蓄電部１９には、記録用の電磁波の照射量に応じた電荷が静電潜像として蓄積され、画像情報が記録されることになる。
【００２０】
ここで、画像記録媒体１０に画像情報を記録するとき、信号取得部５０から第１電極１１と第２電極１５との間に高電圧が印加される。すると、第１電極１１には負電荷が帯電し、第２電極１５には正電荷が帯電する。次に、第２電極１５側から記録用の電磁波が照射されたとき、記録用の電磁波の照射量に応じて、記録用光導電層１４において正負の電荷対が発生する。そのうち、電荷対の正孔は第２電極１５側に移動し、第２電極１５の負電荷と結合し消滅する。一方、電荷対の電子は、第１電極１１側に移動するが、電荷輸送層１３によってその移動が制限される。これにより、蓄電部１９に静電潜像として画像情報が記録される。
【００２１】
蓄電部１９に記録された画像情報を読取る場合、走査露光装置２０から矢印Ｙ方向に延びているライン状の読取光Ｌが、第１電極１１側から矢印Ｘ方向に走査しながら照射される。すると、読取光Ｌの照射量に応じた電荷対が読取用光導電層１２において発生する。発生した電荷対の正孔は、電荷輸送層１３を透過して蓄電部１９に蓄積された負電荷と結合し消滅する。一方、電荷対の電子は第１電極１１側へ移動し正電荷と結合する。そして、第１電極１１において正孔と負電荷が結合したときに電流が流れる。この電流の変化を検出することにより画像情報が読み取られる。
【００２２】
図２は本発明の走査露光装置の好ましい実施の形態を示す断面図であり、図１と図２を参照して走査露光装置２０について説明する。走査露光装置２０は、画像記録媒体１０に対してライン光を走査しながら露光するパネル状光源２０Ａと、パネル状光源２０Ａに対し駆動電圧を印加する駆動電源部３０とを有している。
【００２３】
パネル状光源２０Ａは、たとえば厚膜誘電体型無機ＥＬ発光パネルであって、エレクトロルミネセンス層（以下、「ＥＬ層」という）２２と、エレクトロルミネセンス層２２の一面側に設けられた第１電極２１と、ＥＬ層２２の他面側にストライプ状に設けられた、それぞれ第１電極２１と対向する複数の線状の第２電極２３とを備えている。
【００２４】
ここで、第１電極２１は、たとえばＩＴＯ膜等の光透過性の電極であって、画像記録媒体１０に対して絶縁層１７を介して積層されている。図２において、第１電極２１は画像記録媒体１０に対して平板状に形成された第１電極からなっている。ＥＬ層２２は、第１電極２１に対して誘電体２４を介して積層されたたとえば硫化亜鉛等からなる無機ＥＬ層である。各第２電極２３は、ＥＬ層２２に対して絶縁層２５を介して積層されており、たとえば幅５０μｍのアルミ電極が１００μｍ間隔で平行に並んだ構造を有している。
【００２５】
図３は、駆動電源部３０の一例を示す模式図であり、図３を参照して駆動電源部３０について説明する。この駆動電源部３０は、交流のパルス状の駆動電圧ｖｄを出力する走査電源部３１と、走査電源部３１から出力される駆動電圧ｖｄを印加する第２電極２３をスイッチングするスイッチング手段３２と、駆動電圧ｖｄに対して逆位相の交流電圧からなるバイアス電圧ｖｂを印加するバイアス電源部３３とを備えている。
【００２６】
ここで、走査電源部３１およびバイアス電源部３３は、それぞれ駆動電圧ｖｄとバイアス電圧ｖｂとの電位差が画像記録媒体１０に対して照射する読取光Ｌとして十分な輝度を有するものとなるように、駆動電圧ｖｄとバイアス電圧ｖｂとをそれぞれ印加するようになっている。すなわち、図４に示すように、ＥＬ層２２は、第１電極２１と第２電極２３との電位差が発光電圧しきい値ｖｒｅｆ（たとえば１６０Ｖ）以上のときに発光し、電位差の大きさに応じてＥＬ層からの発光の輝度が大きくなっていく特性を有している。そこで、第１電極２１と第２電極２３との電位差が、ＥＬ層２２から読取光Ｌとして用いることができる輝度になるようなライン光が射出するような発光必要電圧ｖＬ（たとえば２４０Ｖ）となるように、走査電源部３１およびバイアス電源部３３が駆動電圧ｖｄおよびバイアス電圧ｖｂを印加するようになっている。すると、駆動電圧ｖｄが印加されている第２電極（以下「駆動電極２３ｘ」という）と第１電極２１とに挟まれた領域のＥＬ層２２から、駆動電極２３ｘの形状（矩形状）に応じたライン光が出力されるようになる。
【００２７】
なお、バイアス電圧ｖｂと駆動電圧ｖｄとの電位差がたとえば２４０Ｖであればよく、たとえばバイアス電圧ｖｂが−１６０Ｖ、駆動電圧ｖｄが６０Ｖという組み合わせであってもよいし、バイアス電圧ｖｂが０Ｖ、駆動電圧ｖｄが２４０Ｖであってもよい。特に、バイアス電圧ｖｂが−１６０Ｖ、駆動電圧ｖｄが６０Ｖの組み合わせにしたときには、バイアス電圧ｖｂの絶対値が駆動電圧ｖｄの絶対値よりも大きくすることができるとともに、発光電圧しきい値ｖｒｅｆを０Ｖにすることができる。
【００２８】
サブ電源部４０は、駆動電極２３ｘに隣接した第２電極（以下、「隣接電極２３ｙ」という）に、ＥＬ層２２が発光する発光電圧しきい値よりも小さいサブ電圧ｖｓを印加するものである。よって、サブ電圧ｖｓが印加された第１電極２１と第２電極２３とに挟まれた領域のＥＬ層２２からライン光が射出することはなく、駆動電極２３ｘと第１電極２１とに挟まれた領域のＥＬ層２２だけが発光することになる。なお、このサブ電圧ｖｓはバイアス電圧ｖｂに対して逆位相の交流電圧、すなわち駆動電圧ｖｄと同位相の交流のパルス状電圧からなっている。
【００２９】
ここで、第２電極２３と走査電源部３１およびサブ電源部４０との電気的接続は、スイッチング手段３２により制御されている。スイッチング手段３２は、各第２電極２３と駆動電圧ｖｄおよびサブ電源部４０とに電気的に接続されており、ＯＮ／ＯＦＦ動作により第２電極２３と走査電源部３１とを電気的に接続させるとともに、第２電極２３とサブ電源部４０と電気的に接続するようになっている。よって、スイッチング手段３２により走査電源部３１に接続された第２電極２３が駆動電極２３ｘとなり、サブ電源部４０に接続された第２電極２３が隣接電極２３ｙとなる。
【００３０】
スイッチング手段３２は、走査方向（矢印Ｚ１方向）に向かって順次第２電極２３と走査電源部３１とを電気的に接続するように動作するようになっている。そして、走査電源部３１から駆動電圧ｖｄが矢印Ｚ１方向に向かって第２電極２３に順次印加されておき、駆動電極２３ｘと第１電極２１とに挟まれた領域のＥＬ層２２からの発光（ライン光）が矢印Ｚ１方向に向かって走査する。
【００３１】
また、スイッチング手段３２は、駆動電極２３ｘと駆動電源部３０とを電気的に接続している際、駆動電極２３ｘに隣接した隣接電極２３ｙとサブ電源部４０とを電気的に接続するようになっている。よって、駆動電極２３ｘとして設定される第２電極２３は、スイッチング手段３２により時間とともに矢印Ｚ１方向に向かって移動していき、この駆動電極２３ｘの移動に伴い、隣接電極２３ｙとして設定される第２電極２３もスイッチング手段３２により矢印Ｚ１方向に移動していくようになる。
【００３２】
さらに、スイッチング手段３２は、駆動電極２３ｘの一方側にある複数の第２電極２３および他方側にある複数の第２電極２３を隣接電極２３ｙとしてサブ電源部４０と電気的に接続させるものであって、サブ電源部４０は、複数の隣接電極２３ｙのそれぞれに、各隣接電極２３ｙと駆動電極２３ｘとの距離が大きいほど小さいサブ電圧ｖｓを印加するようになっている。
【００３３】
具体的には、たとえば図３に示す５つの第２電極２３ａ〜２１ｅについて矢印Ｙ１方向にライン光を走査させているとき、第２電極２３ｃが駆動電圧ｖｄを印加する駆動電極２３ｘであったとする。このとき、第２電極２３ｃの隣の第２電極２３ｂ、２３ｄおよび第２電極２３ｂ、２３ｄの隣の第２電極２３ａ、２３ｅが駆動電極２３ｃに隣接した隣接電極２３ｙとして設定される。つまり、スイッチング手段３２が、第２電極２３ｃ（２３ｘ）と走査電源部３１とを電気的に接続させるとともに、第２電極２３ａ、２３ｂ、２３ｄ、２３ｅ（２３ｙ）とサブ電源部４０とを電気的に接続させる。
【００３４】
そして、サブ電源部４０は、図５に示すように、この第２電極２３ａ、２３ｂ、２３ｄ、２３ｅ（２３ｙ）に対して発光電圧しきい値ｖｒｅｆ以下の電圧を印加する。つまり、駆動電極２３ｃには電位差ｖＬ（たとえば２４０Ｖ）の駆動電圧ｖｄが印加され、駆動電極２３ｃの両端にある第２電極２３ｂ、２３ｄには電位差１６０Ｖのサブ電圧ｖｓ（＝ｖｒｅｆ）が印加される。さらに、第２電極２３ｃ（２３ｘ）よりも距離が遠い第２電極２３ａ、２３ｅ（２３ｙ）には第２電極２３ｂ、２３ｄに印加されるサブ電圧よりも小さい電位差８０Ｖのサブ電圧ｖｓが印加される。
【００３５】
このように、駆動電極２３ｘに隣接した隣接電極２３ｙにサブ電圧ｖｓを印加することにより、駆動電極２３ｘから隣接電極２３ｙとの電位勾配が小さくなり、駆動電極２３ｘから隣接電極２３ｙへのリークが低減する。よって、駆動電極２３ｘの領域以外の部位から光が射出するのを防止することができる。すなわち、隣接電極２３ｙへサブ電圧を印加することにより、駆動電極２３ｘと隣接電極２３ｙとの電位勾配よりも、駆動電極２３ｘと第１電極２１との電位勾配の方が大きくすることができる。よって、駆動電極２３ｘから隣接電極２３ｙへのリークが低減されて、駆動電極２３ｘの領域以外の部位から光が射出するのを防止ことができるようになる。
【００３６】
さらに、隣接電極２３ｙとして駆動電極２３ｘの両側にある第２電極２３のみが設定されるだけでなく、２つ以上隣の第２電極２３をも設定することにより、駆動電極２３ｃおよび第１第２電極２３ｂ、２３ｄとからなる領域の電位と第２電極２３ａ、２３ｅの領域の電位との電位差が大きくなることによる電流のリークが低減されて、駆動電極の領域以外の部位から光が射出するのを防止ことができるようになる。
【００３７】
また、上述の走査露光装置２０を用いた画像読取装置１において、画像記録媒体１０へ読取る画素以外の画素に光が照射されるのを防止することができるため、読み取った画像の鮮鋭度が劣化するのを防止することができる。
【００３８】
次に、図１から図５を参照して走査露光装置２０の動作例について説明する。図１の画像読取装置１において、画像記録媒体１０に記録された画像が読み取られる際、走査露光装置２０によりライン光である読取光Ｌが矢印Ｚ１方向に走査する。このとき、走査露光装置２０の走査電源部３１により発光する部位に当たる第２電極２３に対して駆動電圧ｖｄが印加されるとともに、隣接電極２３ｙに対してもサブ電圧ｖｓが印加される。そして、駆動電圧ｖｄが印加される駆動電極２３ｘが矢印Ｚ１方向に向かって順次走査方向（矢印Ｚ１方向）に切り換わっていくのに合わせて、サブ電圧ｖｓが印加される隣接電極２３ｙも順次走査方向（矢印Ｚ１方向）に切り換わっていく。
【００３９】
図６は本発明の走査露光装置の別の実施の形態を示す断面図であり、図６を参照して走査露光装置１２０について説明する。なお図６の走査露光装置１２０において図１から図５の走査露光装置１００と同一の構成を有する部位には同一の符号を付してその説明を省略する。
【００４０】
図６の走査露光装置１２０が図２の走査露光装置２０と異なる点は、第１電極１２１が平板状ではなくストライプ状に配列された複数の線状の電極からなっている点である。すなわち、図６の第１電極１２１は、第２電極２３に対向するように設けられたストライプ状の複数の線状電極１２１ａを有している。この第１電極１２１の各線状電極１２１ａは、それぞれスイッチング手段１３１を介してバイアス電源部３３に電気的に接続されており、スイッチング手段１３１によりバイアス電圧ｖｂの印加が制御されている。そして、ある第２電極２３に駆動電圧ｖｄが印加されたとき、スイッチング手段１３１は、駆動電圧ｖｄが印加される第２電極２３（駆動電極２３ｘ）に対向する線状電極１２１ａにバイアス電圧ｖｂが印加されるようになっている。
【００４１】
このとき、線状電極１２１ａと第２電極２３（駆動電極２３ｘ）とには、走査電源部３１およびバイアス電源部３３からバイアス電圧ｖｂと駆動電圧ｖｄとの電位差が２４０Ｖになるように、それぞれ駆動電圧ｖｄとバイアス電圧ｖｂとが印加されるようになっている。すなわち、図７（ａ）、（ｂ）に示すように、第２電極２３には駆動電圧ｖｄ＝ｖｘ（たとえば８０Ｖ）の電圧を印加し、線状電極１２１ａには駆動電圧ｖｄとは逆位相のバイアス電圧ｖｂ＝ｖｙ（たとえば−１６０Ｖ）を印加する。なお、図７において、第２電極２３に印加する駆動電圧ｖｄとして発光必要電圧ｖＬを印加する場合（ｖｄ＝ｖＬ）、スイッチング手段１３１は不要であり第１電極１２１の第２電極はすべて０Ｖになるように設定される。
【００４２】
このように、第１電極１２１が平板状ではなく、ストライプ状の複数の線状電極１２１２ａからなるようにすることにより、ＥＬ層２２を発光させる際の第１電極１２１側に対する充電電流を小さくすることができるとともに、バイアス電圧ｖｂを印加してから所定の電圧になるまでの立ち上がり速度を速くすることができる。
【００４３】
上記各実施の形態によれば、サブ電源部４０が走査電源部３１から駆動電圧ｖｄが印加されている駆動電極２３ｘに隣接した隣接電極２３ｙに、ＥＬ層２２が発光する発光電圧しきい値ｖｒｅｆよりも小さいサブ電圧ｖｓを印加することにより、駆動電圧ｖｄが印加されている駆動電極２３ｘと隣接電極２３ｙとの電位勾配を小さくして駆動電極２３ｘから隣接電極２３ｙへの電流のリークを抑えることができるため、ライン光が駆動電極２３ｘの領域以外から射出されるのを防止することができる。
【００４４】
さらに、隣接電極２３ｙが、駆動電極２３ｘの両側にある複数の第２電極２３からなり、サブ電源部４０が、複数の隣接電極２３ｙのそれぞれに、各隣接電極２３ｙと駆動電極２３ｘとの距離が大きいほど小さいサブ電圧ｖｓを印加するものであれば、隣接電極２３ｙと何も電圧が印加されていない第２電極２３との電位差を小さくすることができるため、隣接電極２３ｙから他の第２電極２３へのリークを抑えてライン光の発光領域を精度よく制御することができる。
【００４５】
また、走査露光装置２０を用いた画像読取装置１によれば、サブ電源部４０が走査電源部３１から駆動電圧ｖｄが印加されている駆動電極２３ｘに隣接した隣接電極２３ｙに、ＥＬ層２２が発光する発光電圧しきい値ｖｒｅｆよりも小さいサブ電圧ｖｓを印加することにより、駆動電圧ｖｄが印加されている駆動電極２３ｘと隣接電極２３ｙとの電位勾配を小さくして駆動電極２３ｘから隣接した隣接電極２３ｙへの電流のリークを抑えることができ、ライン光が駆動電極の領域以外から射出されるのを防止することができるため、読取光が他の画素に照射されることによる画質の劣化を防止することができる。
【００４６】
本発明の実施の形態は、上記実施の形態に限定されない。たとえば、図１の画像読取装置１において、画像記録媒体１０の一例として固体検出器の場合について例示しているが、蓄積性蛍光体シートの場合にも上述した走査露光装置２０を適用することができる。
【００４７】
また、上記実施の形態において、パネル状光源２０Ａは無機ＥＬを用いた無機ＥＬ発光パネルの場合について例示しているが、上述した無機ＥＬと同様に高電圧を用いるＭＰＥ（マルチフォトンエミッション）有機ＥＬを用いたパネル状光源２０Ａであってもよい。このＭＰＥ有機ＥＬの場合であっても発光しきい値電圧Ｖｒｅｆがあるため、駆動電源部３０は第２電極２３および第１電極２１に対して直流の駆動電圧Ｖｄおよびバイアス電圧Ｖｂを印加するようになり、サブ電源部４０もまた、発光しきい値電圧Ｖｄ以下の直流のサブ電圧Ｖｓを第２電極２３に印加するようになる。
【００４８】
さらに、上記実施の形態において、１つの第２電極２３にのみ駆動電圧ｖｄを印加する場合について例示しているが、複数の第２電極２３に対して駆動電圧ｖｄを印加するようにしてもよい（ビニング）。この場合であっても、複数の駆動電極２３に隣接した第２電極２３を隣接電極２３ｙとして設定し、この隣接電極２３ｙにサブ電圧ｖｓを印加するようにしてもよい。
【図面の簡単な説明】
【００４９】
【図１】本発明の走査露光装置および画像読取装置の好ましい実施の形態を示す構成図
【図２】本発明の走査露光装置の好ましい実施の形態を示す断面図
【図３】図１の走査露光装置における第２電極の様子を示す平面図
【図４】ＥＬ層に印加する電圧とＥＬ層から発光する光の輝度との関係を示すグラフ図
【図５】図１の走査露光装置において第２電極に駆動電圧を印加したときに、駆動電圧が印加されている第２電極とそれに隣接した第２電極の電位差の分布を示すグラフ図
【図６】本発明の走査露光装置の別の実施の形態を示す断面図
【図７】図６の走査露光装置における第１電極１２１および第２電極に印加される駆動電圧およびバイアス電圧の電圧を示すグラフ図
【符号の説明】
【００５０】
１     画像読取装置
１０   画像記録媒体
２０   走査露光装置
２０Ａ パネル状光源
２１   第１電極
２２   エレクトロルミネセンス（ＥＬ）層
２３   第２電極
２３ｘ 駆動電極
２３ｙ 隣接電極
３０   駆動電源部
４０   サブ電源部
Ｌ     読取光
ｖｂ   バイアス電圧
ｖｄ   駆動電圧
ｖｓ   サブ電圧
ｖｒｅｆ       発光電圧しきい値
【図１】
2005260821.tif 000003
【図２】
2005260821.tif 000004
【図３】
2005260821.tif 000005
【図４】
2005260821.tif 000006
【図５】
2005260821.tif 000007
【図６】
2005260821.tif 000008
【図７】
2005260821.tif 000009